(57)【要約】【課題】  直流ファンモーター高圧起動低圧高速運転のコントロール回路を提供する。【解決手段】  主に少なくとも入力ユニット、比較ユニット、コントロールユニット、出力ユニットを含む。該輸入ユニットは該比較ユニット及び該コントロールユニットに接続し、電源を入力し、コントロール回路を作動させる。該出力ユニットはモーターコイル組を含み、該コントロールユニットを接続し、該コントロールユニットにより該出力ユニットの運転を駆動する。該比較ユニットは該コントロールユニットに接続し、該コントロールユニットの出力電流をコントロールする。上記各ユニットの結合により、モーターが高圧起動時に、電流が過大にすぎることにより該コントロールユニットをショートさせることはなく、低圧出力時にも高速の運転を維持可能で、散熱と節電の特性を達成することができる。【選択図】  図  ３
2006149015.tif 000002
【特許請求の範囲】
【請求項１】
主に少なくとも入力ユニット、比較ユニット、コントロールユニット、出力ユニットを含み、
該コントロールユニットは該出力ユニットに接続し、該出力ユニットの駆動をコントロールし、
該比較ユニットは該コントロールユニットに接続し、該コントロールユニットの出力電流をコントロールし、
該入力ユニットは該コントロールユニット及び該比較ユニットに接続し、電源を入力することを特徴とする直流ファンモーター高圧起動低圧高速運転のコントロール回路。
【請求項２】
前記出力ユニットはモーターコイル組を含むことを特徴とする請求項１記載の直流ファンモーター高圧起動低圧高速運転のコントロール回路。
【請求項３】
前記コントロールユニットはコントロール部品とホール（Ｈａｌｌ）部品を含むことを特徴とする請求項１記載の直流ファンモーター高圧起動低圧高速運転のコントロール回路。
【請求項４】
前記比較ユニットは比較器を含むことを特徴とする請求項１記載の直流ファンモーター高圧起動低圧高速運転のコントロール回路。
【請求項５】
前記比較器は正転入力端を含むことを特徴とする請求項４記載の直流ファンモーター高圧起動低圧高速運転のコントロール回路。
【請求項６】
前記比較器は反転入力端を含むことを特徴とする請求項４記載の直流ファンモーター高圧起動低圧高速運転のコントロール回路。
【請求項７】
前記比較器の反転入力端は少なくとも１個の電圧安定部品を接続することを特徴とする請求項６記載の直流ファンモーター高圧起動低圧高速運転のコントロール回路。
【請求項８】
前記電圧安定部品はツェンダー（Ｚｅｎｄｅｒ）ダイオードとすることができることを特徴とする請求項７記載の直流ファンモーター高圧起動低圧高速運転のコントロール回路。
【請求項９】
前記比較器は出力端を具えることを特徴とする請求項４記載の直流ファンモーター高圧起動低圧高速運転のコントロール回路。
【請求項１０】
前記比較器の出力端は少なくとも１個の電圧安定部品を接続することを特徴とする請求項９記載の直流ファンモーター高圧起動低圧高速運転のコントロール回路。
【請求項１１】
前記電圧安定部品はツェンダー（Ｚｅｎｄｅｒ）ダイオードとすることができることを特徴とする請求項１０記載の直流ファンモーター高圧起動低圧高速運転のコントロール回路。
【発明の詳細な説明】
【技術分野】
【０００１】
本発明は一種の直流ファンモーター高圧起動低圧高速運転のコントロール回路に関する。特に一種のモーターコントロール回路の損壊を防止する直流ファンモーター高圧起動低圧高速運転のコントロール回路に係る。
【背景技術】
【０００２】
ＩＴ社会の急速な発展に従い、大量の電子データの伝送と処理は電子製品にとっての必須機能となっている。これら機能の拡大が招く高温現象は、電子製品に高い散熱性能を求めており、かつそれ自身の電力消耗量が小さい散熱装置により散熱問題を解決することが必要である。
現在一般に市販されている散熱装置には、散熱ファンと散熱器がある。前者は熱対流の方式を利用し散熱を助けるもので、後者は熱伝導の方式を用い散熱するものである。しかし、散熱ファンの熱対流が生じる強制的な散熱の散熱効果の方がより優れているため、各社が研究開発にしのぎを削っている。
【０００３】
図１に示す公知のファンモーター回路はモーター１１、駆動ユニット１２を含む。
該モーター１１は少なくとも第一コイル組１１、第二コイル組１２を含む。
該駆動ユニット１２は該モーター１１を接続し、少なくとも駆動部品１２１、ホール（Ｈａｌｌ）部品１２２を含む。
該ホール（Ｈａｌｌ）部品１２２は該モーター１１のローターの磁極変化を検知し、正電圧Ｈ＋と負電圧Ｈ−を生じ、それぞれ該駆動部品１２１に接続する対応ピン位置に出力する。該駆動部品１２１の第一出力ピン１２１１は該第一コイル組１１１に接続し、かつ該駆動部品１２１の第二出力ピン１２１２は該第二コイル組１１２に接続し、該モーター１１の運転を駆動する。
しかし上記公知の回路は、実施において一般にモーター回路は設計完成後にモーター１１の特性が固定されるという問題が存在する。つまり、該モーター１１の入力電圧と回転速度は図２に示すＴ１曲線のように正比例の関係になる。
例えば、入力電圧が１２ボルトである時、該直流ファンモーター１１の回転速度は４００ｒｐｍで、該入力電圧が４ボルトである時、直流ファンモーター１１の回転速度は１０００ｒｐｍである。この状態では設定された入力電圧の回転速度が遅すぎるため、効果的に散熱機能を発揮することはできない。
低入力電圧時における該直流ファンモーター１１の運転速度を向上させるために、コイル組を新たに設計し、これにより該直流ファンモーター１１は入力電圧が４ボルトである時にも運転速度を２３００ｒｐｍとすることができる。しかしこの時、該モーター１１の特性は同様の低電圧時に比較的高い運転速度を獲得可能となるが、同様の高入力電圧もまた運転速度を上昇させる。すなわち１２ボルト時の運転速度は８０００ｒｐｍの間（図２のＴ２曲線）で、回転速度が高ければ電流も増大し、該駆動ユニット１２１が負担可能な電流範囲を超過し、ショート或いは不良現象を発生する恐れがある。
【発明の開示】
【発明が解決しようとする課題】
【０００４】
本発明は上記構造の問題点を解決した直流ファンモーター高圧起動低圧高速運転のコントロール回路を提供するもので、
それは低出力電圧時にファンの回転速度を向上させることができ、節電と散熱効果向上の特性を具え、
またそれは低電圧出力時にファンの高速運転を提供し、かつ高電圧出力時にはその回転速度は同一の高速を維持可能で、また駆動電流はコントロール部品が設定する安全値内に維持され、高圧起動電流が過大にすぎることによりコントロール部品がショートしファンが損壊することを防止可能である。
【課題を解決するための手段】
【０００５】
上記課題を解決するため、本発明は下記の直流ファンモーター高圧起動低圧高速運転のコントロール回路を提供する。
それは主に少なくとも入力ユニット、比較ユニット、コントロールユニット、出力ユニットを含み、
該輸入ユニットは該比較ユニット及び該コントロールユニットに接続し、電源を入力し、コントロール回路を作動させ、
該出力ユニットはモーターコイル組を含み、該コントロールユニットを接続し、該コントロールユニットにより該出力ユニットの運転を駆動し、
該比較ユニットは該コントロールユニットに接続し、該コントロールユニットの出力電流をコントロールし、
上記各ユニットの結合により、モーターが高圧起動時にも、電流が過大にすぎることにより該コントロールユニットをショートさせることはなく、低圧出力時にも高速の運転を維持可能で、散熱と節電の特性を達成可能であることを特徴とする直流ファンモーター高圧起動低圧高速運転のコントロール回路である。
【発明の効果】
【０００６】
上記のように、本発明は直流ファンモーター高圧起動低圧高速運転のコントロール回路を提供することにより、低出力電圧時にファンの回転速度を向上させることができ、節電と散熱効果向上の特性を具える。さらに低電圧出力時にファンの高速運転を提供し、かつ高電圧出力時にはその回転速度は同一の高速を維持可能で、また駆動電流はコントロール部品が設定する安全値内に維持され、高圧起動電流が過大にすぎることによりコントロール部品がショートしファンが損壊することを防止可能である。
【発明を実施するための最良の形態】
【０００７】
図２に示すように、本発明は少なくとも入力ユニット２１、比較ユニット２２、コントロールユニット２３、出力ユニット２４を含む。
該コントロールユニット２３は該出力ユニット２４に接続し、該出力ユニット２４の駆動をコントロールする。
該比較ユニットは該コントロールユニット２３に接続し、該コントロールユニット２３の出力電流をコントロールする。
該入力ユニット２１は該コントロールユニット２３及び該比較ユニット２２に接続し、電源を入力する。
【０００８】
次に図３、４に示すように、該出力ユニット２４は第一モーターコイル組２４１、第二モーターコイル組２４２を含む。
該コントロールユニット２３はコントロール部品２３１、ホール（Ｈａｌｌ）部品２３２を含む。該ホール（Ｈａｌｌ）部品２３２は該出力ユニット２４のローターの磁極変化を検知し、正電圧Ｈ＋と負電圧Ｈ−を生じ、それぞれ該コントロール部品２３１の対応するＩＮ＋ピンとＩＮ−ピンに接続し出力する。該コントロール部品２３１の第一出力ピンＯＵＴ１は該第一モーターコイル組２４１に接続し、第二出力ピンＯＵＴ２は該第二モーターコイル組２４２に接続する。これにより該出力ユニット２４の運転を駆動し、コントロールする。
【０００９】
該比較ユニット２２は少なくとも比較器２２１（或いはオペレーションアンプ）を含み、該比較器２２１は正転入力端２２１１、反転入力端２２１２、出力端２２１３を具える。
該出力端２２１３は該コントロール部品２３１のＶＴＨピンに接続し、かつ該出力端２２１３とＶＴＨピン間にはレジスター２２２、電圧安定部品２２３を接続する。該レジスター２２２の一端は直流電源を入力し、反対端は該出力端２２１３に接続する。該電圧安定部品２２３の一端はアースで、反対端は該出力端２２１３に接続する。
該正転入力端２２１１はレジスター２２４、レジスター２２５、コンデンサ２２６に接続する。該コンデンサ２２４の一端は直流電源を入力し、反対端は該正転入力端２２１１に接続する。該レジスター２２５一端はアースで、反対端は該正転入力端２２１１に接続する。該コンデンサ２２６一端はアースで、反対端は該正転入力端２２１１に接続する。
該反転入力端２２１２はレジスター２２７、電圧安定部品２２８に接続する。該レジスター２２７一端は直流電源を入力し、反対端は該反転入力端２２１２に接続する。該電圧安定部品２２８一端はアースで、反対端は該反転入力端２２１２に接続する。
該比較器２２１の反転入力端２２１２は該レジスター２２７と該電圧安定部品２２８が構成する分圧信号を受信する。該電圧安定部品２２３、２２８はゼンダ−ダイオードである。
【００１０】
該入力ユニット２１は入力電源Ｖｃｃを入力し、逆圧保護ダイオード２１１を含み、かつ該比較ユニット２２及び該コントロールユニット２３は直流電源を入力する。
該電源Ｖｃｃが該入力ユニット２１を経由し入力されると、該逆圧保護ダイオード２１１を経由し該比較ユニット２２及び該コントロールユニット２３に伝送される。該比較器２２１の正転入力端２２１１のレジスター２２４及びレジスター２２５は分圧信号を生じ、該コンデンサ２２６を経由し、該分圧信号を受信し充電/放電する。これにより、該正転入力端２２１１により入力された電圧信号は一定の値間において変動する。
該正転入力端２２１１の信号が該反転入力端２２１２の分圧信号より小さい時には、該比較器２２１の出力端２２１３は反転信号を発する。該コントロール部品２３１のＶＴＨピンが反転信号を受信した時、該コントロール部品２３１は駆動信号（すなわち駆動電流）を該出力ユニット２４に発信しない。
該正転入力端２２１１の信号が該反転入力端２２１２の分圧信号より大きい時には、該比較器２２１の出力端２２１３は正転信号を発し、該正転入力端２２１１の入力信号と該反転入力端２２１２の分圧信号の差は大きい。すなわち、ファンモーターは高圧起動され、該出力正転信号の電圧値は大きい。該出力端２２１３のレジスター２２２及び電圧安定部品２２３の分圧作用により、該電圧安定部品２２３は固定電圧値内において該正転信号を安定させる。該コントロール部品２３１のＶＴＨピンが正転信号を受信する時、駆動信号（即ち駆動電流）を出力し、該第一出力ピンＯＵＴ１及び該第二出力ピンＯＵＴ２によりそれぞれ該第一コイル組２４１及び該第二コイル組２４２に出力し、該出力ユニット２４の高速回転を駆動する。
【００１１】
該正転入力端２２１１の入力電圧信号と該反転入力端２２１２の分圧信号の差が小さい時には、ファンモーターは低圧回転に降下し、該出力正転信号の電圧値は小さい。該レジスター２２２及び該電圧安定部品２２３の分圧作用により、該電圧安定部品２２３は該正転信号と同様の固定電圧値を安定させる。該コントロール部品２３１のＶＴＨピンが正転信号を受信する時、該コントロール部品２３１の第一出力ピンＯＵＴ１及び第二出力ピンＯＵＴ２はそれぞれ電流を該第一コイル組２４１と第二コイル組２４２に出力し、該出力ユニット２４は同様の速度での回転を維持する。
【００１２】
次に図４、５に示すように、実施例のファンモーターが低電圧４ボルトを出力し回転し、ファンモーターが高電圧１２ボルトを出力し起動する時、該比較ユニット２２は同様の固定正転信号を発し、該コントロール部品２３１のＶＴＨピンに出力する。これにより、該コントロールユニット２３１の第一出力ピンＯＵＴ１及び第二出力ピンＯＵＴ２の出力電流は異なる電圧値となる。すなわち、高電圧と低電圧に同様の出力値となり、これにより該出力ユニット２４の回転速度は同様に愛点速度２３００ｒｐｍに維持される。こうして、公知の技術の低電圧高速回転を出力する時、高電圧起動を出力し、コントロール部品のロードオーバーによりショートが発生する現象を改善し、しかも電源の浪費を減少させ、低電圧運転時の散熱効率を向上させることができる。
本発明の最適実施例は本発明利用の方法、形状、装置、構造の可能な変化を例にあげたもので、すべて本案の権利範囲内に含まれる。
【図面の簡単な説明】
【００１３】
【図１】公知のファンの回路図である。
【図２】公知のファンモーターの特性曲線図である。
【図３】本発明の最適実施例の回路ブロックチャートである。
【図４】本発明の最適実施例の回路指示図である。
【図５】本発明の最適実施例のファンモーターの特性曲線指示図である。
【符号の説明】
【００１４】
１１  モーター
１１１  第一コイル組
１１２  第二コイル組
１２  駆動ユニット
１２１  駆動部品
１２１１  第一出力ピン
１２１２  第二出力ピン
１２２  ホール（Ｈａｌｌ）部品
２１  入力ユニット
２１１  ダイオード
２２  比較ユニット
２２１  比較器
２２１１  正転入力端
２２１２  反転入力端
２２１３  出力端
２２２  レジスター
２２３  電圧安定部品
２２４  レジスター
２２５  レジスター
２２６  コンデンサ
２２７  レジスター
２２８  電圧安定部品
２３  コントロールユニット
２３１  コントロール部品
２３２  ホール（Ｈａｌｌ）部品
２４  出力ユニット
２４１  第一モーターコイル組
２４２  第二モーターコイル組
ＯＵＴ１  第一出力ピン
ＯＵＴ２  第二出力ピン
【図１】
2006149015.tif 000003
【図２】
2006149015.tif 000004
【図３】
2006149015.tif 000005
【図４】
2006149015.tif 000006
【図５】
2006149015.tif 000007